(57)【要約】【課題】  障子上部の上枠との掛かりが無くなったときでも、障子が枠から外れるのを防止できる建具の提供。【解決手段】  枠１と、上下枠２，３に沿って摺動可能に設けた障子４とを備え、障子４は、障子上端より出没可能な外れ止め片５を有し、外れ止め片５は、上枠２のレール６よりも室外側、又は上枠２の障子案内溝１１の室内側垂下片３１よりも室外側に設けてあることを特徴とする。【選択図】      図１
2016217122.tif 000002
【特許請求の範囲】
【請求項１】
枠と、上下枠に沿って摺動可能に設けた障子とを備え、障子は、障子上端より出没可能な外れ止め片を有し、外れ止め片は、上枠のレールよりも室外側、又は上枠の障子案内溝の室内側垂下片よりも室外側に設けてあることを特徴とする建具。
【発明の詳細な説明】
【技術分野】
【０００１】
本発明は、障子が枠から外れるのを防止した建具に関する。
【背景技術】
【０００２】
従来、引違いサッシや外動片引きサッシ等の建具においては、障子が下がると、障子上部の上枠のレール等との掛かりが無くなり、外障子が室外側に、内障子が室内側に外れるおそれがあった。
【発明の概要】
【発明が解決しようとする課題】
【０００３】
本発明は以上に述べた実情に鑑み、障子上部の上枠との掛かりが無くなったときでも、障子が枠から外れるのを防止できる建具の提供を目的とする。
【課題を解決するための手段】
【０００４】
上記の課題を達成するために請求項１記載の発明による建具は、枠と、上下枠に沿って摺動可能に設けた障子とを備え、障子は、障子上端より出没可能な外れ止め片を有し、外れ止め片は、上枠のレールよりも室外側、又は上枠の障子案内溝の室内側垂下片よりも室外側に設けてあることを特徴とする。
【０００５】
本発明の建具は、枠と、上下枠に沿って摺動可能に設けた障子とを備え、障子は、障子上端より出没可能な外れ止め片を有し、外れ止め片は、障子から突出する方向に付勢してあると共に、障子に没入させたときに障子に係止して没入状態を維持する係止手段を有し、係止手段が働く状態と働かない状態とを選択可能であることを特徴とする。
この構成によれば、障子をサッシ工場等で組み立てて建築現場へと運搬する際などに、係止手段を働かせて外れ止め片を障子に没入させておくことで、外れ止め片の破損を防止できる。障子を枠に建て込んだ後は、係止手段を働かない状態とし、外れ止め片を障子から突出させておけば、障子が下がって上枠との掛かりがなくなったときに、外れ止め片が上枠に引っ掛かることで、障子が枠から外れるのを防止できる。
【０００６】
本発明の建具は、枠と、上下枠に沿って摺動可能に設けた障子とを備え、障子は、障子上端より出没可能な外れ止め片を有し、外れ止め片は、障子から突出する方向に付勢してあると共に、障子に没入させたときに障子に係止して没入状態を維持する係止手段を有し、係止手段は撤去可能であり、係止手段が働く状態と働かない状態とを選択可能であることを特徴とする。
この構成によれば、障子をサッシ工場等で組み立てて建築現場へと運搬する際などに、係止手段を働かせて外れ止め片を障子に没入させておくことで、外れ止め片の破損を防止できる。障子を枠に建て込んだら、施工業者が係止手段を撤去すれば係止手段が働かない状態となり、外れ止め片が常に障子から突出する状態となるから、係止手段の操作を知らない一般ユーザーが外れ止め片を障子に没入させたままにして外れ止めが機能しなくなるおそれがない。
【発明の効果】
【０００７】
請求項１記載の発明による建具は、外れ止め片を障子上端より突出させておくことで、障子上部の上枠との掛かりが無くなったときでも、外れ止め片が上枠に引っ掛かるので、障子が枠から外れるのを防止できる。外れ止め片が上枠のレールよりも室外側に設けてあることで、障子上部の上枠のレールとの掛かりが無くなったときに、障子が外に傾くことで使用者に異常を知らせることができる。外れ止め片が上枠の障子案内溝の室内側垂下片よりも室外側に設けてあると、障子上部の上枠の室内側垂下片との掛かりが無くなったときに、障子が内に傾くことで使用者に異常を知らせることができる。
【図面の簡単な説明】
【０００８】
【図１】第１実施形態の建具の縦断面図である。
【図２】第１実施形態の建具における障子の外れ止め部を示す斜視図である。
【図３】第１実施形態の建具の室外側正面図である。
【図４】第１実施形態の建具において、障子を枠に建て込むときの状態を示す縦断面図である。
【図５】第１実施形態の建具において、障子が下がって上枠のレールとの掛かりがなくなったときの状態を示す縦断面図である。
【図６】第２実施形態の建具における障子の外れ止め部を示す斜視図である。
【図７】同外れ止め部の分解斜視図である。
【図８】第２実施形態の建具の縦断面図である。
【図９】第２実施形態の建具の障子の外れ止め部を示す室内側正面図であって、（ａ）は外れ止めを解除した状態、（ｂ）は外れ止めを効かせた状態を示す。
【図１０】第２実施形態の建具において、障子が下がって上枠のレールとの掛かりがなくなったときの状態を示す縦断面図である。
【図１１】第３実施形態の建具における障子の外れ止め部を示す斜視図である。
【図１２】第３実施形態の建具の縦断面図である。
【図１３】（ａ）は障子が下がって上枠のレールとの掛かりがなくなったときの状態を示す縦断面図であり、（ｂ）はその後に障子が室外側に傾いた状態を示す縦断面図である。
【図１４】第１実施形態の建具の変形例であって、外れ止め片を障子に没入させた状態を示しており、（ａ）は障子の上部を戸尻側から見た側面図、（ｂ）は室外側正面図である。
【図１５】図１４に示す障子の外れ止め片を突出させた状態を示しており、（ａ）は障子の上部を戸尻側から見た側面図、（ｂ）は室外側正面図である。
【図１６】第１実施形態の建具を引違い窓に適用した場合の縦断面図である。
【図１７】同建具の外障子及び内障子が下がったときの状態を示す縦断面図である。
【発明を実施するための形態】
【０００９】
以下、本発明の実施の形態を図面に基づいて説明する。図１〜３は、本発明の建具の第１実施形態を示している。この建具は、いわゆる外動片引き窓であって、図１，３に示すように、枠１と、枠１内の室外側から見て左半分の領域で且つ見込み方向の室内寄りに構成された嵌め殺し窓部７と、枠１内の見込み方向室外寄りに上下枠２，３に沿って摺動可能に設けた一つの障子４を備える。
【００１０】
枠１は、上枠２と下枠３と左右の縦枠８，８を枠組みして構成してある。上枠２は、図１に示すように、室外側端部に垂下片８を有し、垂下片８の室内側に障子４の上部を案内するレール６が垂下して設けてあり、そのさらに室内側に中間垂下片９が垂下して設けられ、中間垂下片９の下端部に障子４上部の室内側面に当接するタイト材１０が取付けてある。上枠２の室内側端部には室内側垂下片３１を有し、中間垂下片９と室内側垂下片３１との間の溝１１に嵌め殺し窓部７のフレーム部１２を保持してある。室内側垂下片３１の下端部にも室外側に向けてタイト材１０が取付けてある。
【００１１】
障子４は、図１，３に示すように、戸先框１３と召合せ框１４と上框１５と下框１６とを四周框組みし、その内側にガラス１７を嵌め込んで構成してある。戸先框１３と召合せ框１４の上端部には、図１，２に示すように、樹脂製の振れ止め部品１８が取付けてある。振れ止め部品１８には、樹脂製の外れ止め片５が障子４上端より出没可能に設けてある。外れ止め片５は、内蔵したバネ（図示省略）により障子４上端より突出する方向に付勢されている。また外れ止め片５は、図１に示すように、上枠２のレール６と対峙するように、レール６から室外側に離間して設けてある。
障子４は、上枠２と下枠３のレール６間に室外側から上下けんどんにて建て込まれるが、その際に外れ止め片５は、図４に示すように、上枠２の下面に当たって障子４内部に引っ込むため、支障なく障子４を建て込むことができる。
【００１２】
本建具は、図５に示すように、地震等による躯体の下がりなど、何らかの原因で障子４が下がり、障子４上部の上枠２のレール６との掛かりが無くなったときでも、外れ止め片５が障子４上端より突出しており、外れ止め片５が上枠２の垂下片８に引っ掛かることで、障子４が枠外に脱落するのを防止できる。さらに、外れ止め片５が上枠２のレール６よりも室外側に設けてあることで、障子４上部の上枠２のレール６との掛かりが無くなったときに、障子４が外に傾くことで障子４の開閉や施錠が正常に行えなくなることから、使用者に異常を知らせることができる。
【００１３】
図１４，１５は、第１実施形態の建具の変形例を示している。この建具は、図１４に示すように、外れ止め片５に係止片３２が設けてあり、外れ止め片３２を障子４内に没入させたときに、係止片３２が縦框（戸先框１３、召合せ框１４）に設けた孔３３に引っ掛かり、外れ止め片５が障子４内に没入した状態で保持できるようにしている。なお、図中の符号３６は、外れ止め片５を上向きに付勢しているバネである。
障子４をサッシ工場等で組み立てて建築現場へと運搬する際、外れ止め片５が障子４から突出した状態のままだと外れ止め片５が破損するおそれがあるが、このように外れ止め片５を障子４に没入させておけば、外れ止め片５が破損するのを防止できる。外れ止め片５は、先のとがった工具で係止片３２を奥に押し込むなどして、縦框１３，１４の孔３３への係止を解除すれば、障子４から突出させられる。
また、係止片３２は先のとがった工具等を用いることで、簡単に折り取ることができ、施工業者が障子４を上下枠２，３間に建て込んだら、図１５に示すように、係止片３２を折り取っておくことで、外れ止め片５が障子４内に押し込まれても没入したままになることがなく、外れ止め機能を正常に働かせられる。これにより、係止片３２の解除操作を知らない一般ユーザーが係止片３２の解除をしなかったために外れ止め片５が障子４に没入したままとなり、外れ止めが機能しなくなるおそれがない。
【００１４】
図１６は、第１実施形態の建具を引違い窓に適用した場合を示している。本建具は、枠１内に外障子４ａと内障子４ｂを引違い状に開閉自在に備えている。上枠２は、図１に示す外動片引き窓と共通であり、上枠２のレールに外障子４ａの上部を案内している。また、上枠２の中間垂下片９と室内側垂下片３１との間の溝１１を障子案内溝とし、内障子４ｂの上部をその障子案内溝１１に案内している。
外障子４ａは、先に説明した障子４と同じように、戸先框１３と召合せ框１４の上端より外れ止め片５が突出して設けてある。内障子４ｂも、外障子４ａと同じように、戸先框１３と召合せ框１４の上端より外れ止め片５が突出して設けてある。内障子４ｂの外れ止め片５は、上枠２の中間垂下片９と室内側垂下片３１との間の室外側寄りの位置に、中間垂下片９から離間して設けてある。
外障子４ａと内障子４ｂとの召合せ部の上方の上枠２の障子案内溝１１内には風止め板３４が設けてあり、風止め板３４には内障子４ｂの召合せ框１４上部の外れ止め片５が通過できる切欠き３５が設けてある。なお、内障子４ｂには外れ止め片５を戸先側にだけ設けてもよく、その場合には風止め板３４に切欠き３５は不要である。
【００１５】
図１７は、何らかの原因で外障子４ａ及び内障子４ｂが下がったときの状態を示している。外障子４ａは、先に説明した実施形態の障子４と同様に、外れ止め片５が上枠２の室外側の垂下片８に引っ掛かることで、外障子４ａが室外側に外れるのを防止できる。
内障子４ｂは、内障子４ｂ上部の上枠２の室内側垂下片３１との掛かりがなくなっても、外れ止め片５が上枠２の室内側垂下片３１に引っ掛かることで、内障子４ｂが室内側に外れるのを防止できる。このとき、内障子４ｂは室内側に傾くので、使用者に異常を知らせることができる。
【００１６】
図６〜８は、本発明の建具の第２実施形態を示している。本実施形態では、上框１５の上部のレール呑み込み溝１９内の左右２箇所に外れ止め部品２０を取付けている。外れ止め部品２０は、ステンレス等の金属の板を曲げて形成したものであって、図７に示すように、上方に突出する外れ止め片５と、外れ止め片５の室内側に設けられ、外れ止め片５と交差するように横向きにのびる取付片２１を有している。外れ止め片５は、図８に示すように、障子４上端より突出し、上枠２のレール６から室外側に離間して設けてある。取付片２１には、図７に示すように、基端側に取付ネジ２２が螺合する雌ネジ孔２３が設けられ、先端部にグリーン表示２４が設けてある。上框１５には、室内側壁に取付ネジ２２の挿通孔２５と、グリーン表示２４がのぞく窓２６が設けてある。
【００１７】
外れ止め部品２０は、障子４を上下枠２，３間に建て込む際には、図９（ａ）に示すように、外れ止め片５を横に寝かせた状態にしておく。障子４を枠１に建て込んだら、図９（ｂ）示すように、取付ネジ２２を時計回りに回すことで、外れ止め片５が障子４上端より突出し、さらに取付ネジ２２を締めこむことで外れ止め部品２０が固定される。そうすると、グリーン表示２４が上框１５の窓２６からのぞき、外れ止め片５が正常にセットされていることを使用者が確認できる。
【００１８】
本実施形態の建具も、図１０に示すように、何らかの原因で障子４が下がり、障子４上部の上枠２のレール６との掛かりが無くなったときでも、外れ止め片５が障子４上端より突出しており、外れ止め片５が上枠２の垂下片８に引っ掛かることで、障子４が枠外に脱落するのを防止できる。さらに、外れ止め片５が上枠２のレール６よりも室外側に設けてあることで、障子４上部の上枠２のレール６との掛かりが無くなったときに、障子４が外に傾くことで使用者に異常を知らせることができる。
【００１９】
図１１，１２は、本発明の建具の第３実施形態を示している。本実施形態の建具は、第２実施形態と同様に、上框１５のレール呑み込み溝１９内に外れ止め部品２０を取付けている。外れ止め部品２０は、上框１５のレール呑み込み溝１９内に嵌合取付けされる樹脂製のケース２７と、ケース２７に室内外方向の軸２８で軸着し、上下方向に回動可能に設けた外れ止め片５を有している。外れ止め片５は、障子４上端より突出する方向にバネ３０で付勢されている。また外れ止め片５には、上枠２のレール６の下端に当接する当接部２９が一体に設けられ、障子４を枠１に建て込む際や通常の使用状態においては、図１１の矢印と図１２に示すように、当接部２９が上枠２のレール６に当たって下向きに押されることで、外れ止め片５は上框１５のレール呑み込み溝１９内にほぼ収納されている。外れ止め片５は、レール６の室外側に離間している。
【００２０】
本実施形態の建具は、何らかの原因で障子４が下がると、図１３（ａ）に示すように、障子４が下がるのに追随して外れ止め片５が障子４上端より突出し、障子４上部の上枠２のレール６との掛かりが無くなっても、図１３（ｂ）に示すように、外れ止め片５が上枠２の垂下片８に引っ掛かることで、障子４が枠外に脱落するのを防止できる。このとき障子４は室外側に傾くので、使用者に異常を知らせることができる。
【００２１】
本発明は以上に述べた実施形態に限定されない。外れ止め片の形状や材質、取付け方等は、適宜変更することができる。本発明は、外動片引き窓に限らず、引き違い窓に適用することもでき、その場合には外障子の上部に外れ止め片を設ける。また、内障子にも外れ止め片を設けることで、内障子が室内側に外れるのを防止できる。外れ止め片は、障子上部の左右２箇所に設けてもよいし、障子上部の中央部や、戸先側又は戸尻側の１箇所に設けてもよい。外れ止め片の設ける位置は、上枠の形状等に応じて適宜変更することができ、必ずしも上枠のレールよりも室外側、又は上枠の障子案内溝の室内側垂下片よりも室外側でなくてもよい。外れ止め片の係止手段は、実施形態のものは撤去する（折り取る）ことで、働かない状態にしているが、例えば係止手段を縦框の孔に係止する位置と係止しない位置とに保持できるようにして、係止手段の位置を変えることで係止手段が働く状態と働かない状態とを選択可能にすることもできる。
【符号の説明】
【００２２】
１  枠
２  上枠
３  下枠
４  障子
４ａ  外障子（障子）
４ｂ  内障子（障子）
５  外れ止め片
６  レール
１１  溝（障子案内溝）
３１  室内側垂下片
３２  係止片（係止手段）
【図１】
2016217122.tif 000003
【図２】
2016217122.tif 000004
【図３】
2016217122.tif 000005
【図４】
2016217122.tif 000006
【図５】
2016217122.tif 000007
【図６】
2016217122.tif 000008
【図７】
2016217122.tif 000009
【図８】
2016217122.tif 000010
【図９】
2016217122.tif 000011
【図１０】
2016217122.tif 000012
【図１１】
2016217122.tif 000013
【図１２】
2016217122.tif 000014
【図１３】
2016217122.tif 000015
【図１４】
2016217122.tif 000016
【図１５】
2016217122.tif 000017
【図１６】
2016217122.tif 000018
【図１７】
2016217122.tif 000019